(57)【要約】      （修正有）【課題】組み立てと分解が容易で、安全に保護するスマート携帯電話ケースの提供。【解決手段】前面が開放された中空構造で、裏面に結合貫通孔が形成されたケース本体１０と、結合貫通孔に挿入されたリング形状の固定部材本体と、固定部材本体の内周面に形成された結合凹部とを具備する固定部材３０と、リング形状の回転部材本体と、回転部材本体の外周面に形成されており、結合凹部と回転可能なように結合された複数の結合突起部と、回転部材本体の内周面一側に形成された支持リング結合凹部と、支持リング結合凹部の両端部に連通するように回転部材本体の内周面に形成されたスプリング挿入部とを具備する回転部材４０と、外周面の一端部が支持リング結合凹部に回転可能なように挿入されており、外周面にスプリング挿入溝が形成されたリング形状の支持リング本体と、支持リング本体の外周面の他の一端部に形成された引出し端部とを具備する支持リング５０とで構成される。【選択図】図２
0003224768.tif 000002
【実用新案登録請求の範囲】
【請求項１】
前面が開放された中空構造で、裏面に結合貫通孔が形成されたケース本体と、
上記結合貫通孔に挿入されたリング形状の固定部材本体と、上記固定部材本体の内周面に形成された結合凹部とを具備する固定部材と、
リング形状の回転部材本体と、上記回転部材本体の外周面に形成されており、上記結合凹部と回転可能なように結合された複数の結合突起部と、上記回転部材本体の内周面一側に形成された支持リング結合凹部と、上記支持リング結合凹部の両端部に連通するように上記回転部材本体の内周面に形成されたスプリング挿入部とを具備する回転部材と、
外周面の一端部が上記支持リング結合凹部に回転可能なように挿入されており、外周面にスプリング挿入溝が形成されたリング形状の支持リング本体と、上記支持リング本体の外周面の他の一端部に形成された引出し端部とを具備する支持リングとで構成された
ことを特徴とするスマート携帯電話ケース。
【請求項２】
上記結合突起部は、突起本体と、上記回転部材本体の外周面と離隔するように上記突起本体の両端に形成された結合突起とによって構成され、
上記結合突起は、上記回転部材本体の中心から上記突起本体を連結する仮想線を基準として対称的な形状を持っている
ことを特徴とする請求項１に記載のスマート携帯電話ケース。
【請求項３】
上記結合貫通孔は、裏面内周面に階段面が形成されており、
上記固定部材本体は、前面に離隔されて形成された複数の結合長溝が形成されており、
さらに、
上記階段面に挿入されたカバー本体と、上記カバー本体の一側面のエッジに形成されて上記結合長溝に挿入される複数の結合突起片とで構成されたカバーを含む
ことを特徴とする請求項１に記載のスマート携帯電話ケース。
【考案の詳細な説明】
【技術分野】
【０００１】
本考案は、スマート携帯電話ケースに関する。
【背景技術】
【０００２】
大韓民国登録特許第1392562号(登録日:2014.04.29,発明の名称: 交換型モジュールを具備する携帯端末用ケース)に掲載された技術は、簡単な操作で作動部を広げて望む角度で携帯端末機を据え置いて使用できるいう長所を有する反面、脱着溝にコネクターを回転可能なように結合させるにためには、ケースの厚さが厚くなる。一方面では、コネクターの末端が回転される方式であるので、反復的な使用による耐久性の低下によって破損される確率が向上され、据え置く場合に安定的でない欠点がある。
このような欠点を解消するための一方案として提案された本出願人の大韓民国登録実用新案第0488626号(登録日:2019.2.22.,考案の名称:ロータリー携帯電話ケース)は、携帯電話を保護しながら携帯電話の使用を安全で便利にさせる反面、各構成要素の加工精密度が高くて、加工が難しく、組み立てが容易でないという問題がある。
【考案の概要】
【考案が解決しようとする課題】
【０００３】
上記のような問題点を解決するために提案された本考案の目的は、ケース本体に突出部が設置されていないので、ケース本体が美しく、安全で、強力にケースを把持することができ、加工及び組み立てが容易になるスマート携帯電話ケースを提供することである。
【課題を解決するための手段】
【０００４】
このような本考案の目的は、前面が開放された中空構造で、裏面に結合貫通孔が形成されたケース本体と、上記結合貫通孔に挿入されたリング形状の固定部材本体と、上記固定部材本体の内周面に形成された結合凹部とを具備する固定部材と、リング形状の回転部材本体と、上記回転部材本体の外周面に形成されており、上記結合凹部と回転可能なように結合された複数の結合突起部と、上記回転部材本体の内周面一側に形成された支持リング結合凹部と、上記支持リング結合凹部の両端部に連通するように上記回転部材本体の内周面に形成されたスプリング挿入部とを具備する回転部材と、外周面の一端部が上記支持リング結合凹部に回転可能なように挿入されており、外周面にスプリング挿入溝が形成されたリング形状の支持リング本体と、上記支持リング本体の外周面の他の一端部に形成された引出し端部とを具備する支持リングとで構成されたスマート携帯電話ケースによって達成されることができる。
【０００５】
好ましくは、本考案の上記結合突起部は、突起本体と、上記回転部材本体の外周面と離隔するように上記突起本体の両端に形成された結合突起とによって構成され、上記結合突起は、上記回転部材本体の中心から上記突起本体を連結する仮想線を基準として対称的な形状を持っていることを特徴とする。
【０００６】
好ましくは、本考案の上記結合貫通孔は、裏面内周面に階段面が形成されており、上記固定部材本体は、前面に離隔されて形成された複数の結合長溝が形成されており、さらに、上記階段面に挿入されたカバー本体と、上記カバー本体の一側面のエッジに形成されて上記結合長溝に挿入される複数の結合突起片とで構成されたカバーを含むことを特徴とする。
【考案の効果】
【０００７】
以上のような本考案は、携帯電話ケースの突出部が形成されていなくても、携帯電話を安全に保護するとともに、その組み立てと分解が容易で、安全な使用を実現できる効果がある。
【図面の簡単な説明】
【０００８】
【図１】図1は、本考案によるスマート携帯電話ケースを示す斜視図である。
【図２】図2は、図1のスマート携帯電話ケースの支持リングが展開された状態を示す斜視図である。
【図３】図3は、図1の裏面の分解斜視図である。
【図４】図4は、固定部材と、回転部材と、支持リングとの結合関係を示す斜視図である。
【図５】図5は、固定部材を示す斜視図である。
【図６】図6は、回転部材を示す斜視図である。
【図７】図7は、固定部材と、回転部材と、カバーと、支持リングとの結合関係を示す斜視図である。
【図８】図8は、カバーを示す斜視図である。
【符号の説明】
【０００９】
10:ケース本体
30:固定部材
40:回転部材
50:支持リング
70:スプリング
80:カバー
100:スマート携帯電話ケース
【考案を実施するための形態】
【００１０】
以下で、図面を参照して、本考案の実施例を説明する。
図1〜図8を参照すると、スマート携帯電話ケース100は、ケース本体10と、固定部材30と、回転部材40と、支持リング50と、スプリング70と、カバー80とによって構成されている。
【００１１】
ケース本体10は、前面が開放された中空構造であって、上部面及び側面に複数の貫通孔(符号は示しない)が形成されている。ここで、ケース本体10の貫通孔は、携帯電話(符号は示しない)のカメラボタン、イオポンジャック、電源ボタンなどが露出されるように形成したもので、本実施例の技術的な宗旨には必要ない構成要素であるので、これに対しては詳細な説明や図面示しを省略する。
【００１２】
また、ケース本体10は、裏面に結合貫通孔11が形成されている。ここで、結合貫通孔11は、裏面の内周面に階段面11aが形成されている。
【００１３】
固定部材30には、結合貫通孔11に挿入されたリング形状の固定部材本体31と、固定部材本体31の内周面に形成された結合凹部33とが形成されている。ここで、固定部材30の外周面は、ケース本体10の結合貫通孔11の内周面に強制的に挿入されて固定され、結合凹部33は鋸歯と同じ形状を持っている。また、固定部材本体31は、前面に、離隔されて形成された複数の結合長溝31aが形成されている。
【００１４】
回転部材40は、リング形状の回転部材本体41と、回転部材本体の外周面に形成され、且つ結合凹部33に回転可能なように結合された複数の結合突起部43とによって構成されている。また、回転部材40は、さらに回転部材本体41の内周面一側に形成された支持リング結合凹部41aと、支持リング結合凹部41aの両端部に連通するように回転部材本体41の内周面に形成されたスプリング挿入部41bとを含む。 ここで、結合突起部43は、突起本体43aと、回転部材本体41の外周面と離隔するように突起本体43aの両端に形成された結合突起(43b、43b)とによって構成されている。説明しなかった符号「43s」は、回転部材本体41の外周面と結合突起(43b、43c)との間の隙間を示す。また、結合突起(43b、43c)は、回転部材本体41の中心から突起本体43aを連結する仮想線を基準として、対称的な形状を持っている。
【００１５】
また、回転部材40の仮想外径Diは、結合突起(43b、43c)の最高点の高さと一致し、固定部材本体31の内径より大きいので、回転部材40が固定部材30に強制的に挿入される時に、隙間43cが狭くなりながら挿入されることで、外力を加えずには離脱または分離されない。
そして、本実施例の結合突起(43b、43c)は、対称的な形状を持っているので、回転部材40が時計方向(CW)または反時計方向(CCW)で柔らかくて円滑に回転して結合凹部33に固定される。
【００１６】
支持リング50は、外周面の一端部が支持リング結合凹部41aに回転可能なように挿入されており、外周面にスプリング挿入溝51aが形成されたリング形状の支持リング本体51と、外周面の他の一端部に形成された引出し端部5とによって構成されている。ここで、引出し端部53は、凹部で形成されたが、これに限定されなく、凸部に変形させて実施してもよい。
【００１７】
スプリング70は、スプリング挿入溝51aに挿入されており、開放された両端部がスプリング挿入部41bに強制的に押し入れている。 ここで、スプリング70は、オメガ(Ω)形状のスプリングである。
【００１８】
カバー80は、階段面11aに挿入されたカバー本体81と、カバー本体81の一側面のエッジに形成されて結合長溝31aに挿入される複数の結合突起片83とによって構成されている。また、カバー80は、さらに、カバー本体81の一側面の中心部に、円形突出部85を含む。ここで、円形突出部85は、支持リング本体51の内周エッジに収容されるように設置されて、支持リング50が展開しなかった状態で揺れたり動くことを防止する。
以上のような本考案は、一実施例に限定されて説明したが、これに限定されなく、本考案の技術的な宗旨に基づいて変形される実施例は、全部本考案の権利範囲に属するのは明らかである。
【図１】
0003224768.tif 000003
【図２】
0003224768.tif 000004
【図３】
0003224768.tif 000005
【図４】
0003224768.tif 000006
【図５】
0003224768.tif 000007
【図６】
0003224768.tif 000008
【図７】
0003224768.tif 000009
【図８】
0003224768.tif 000010